【事件の表示】
　特許第３３６１４９６号「遊技店舗におけるＩＣカードシステム」の請求項１ないし３に係る特許に対する特許異議の申立てについて、次のとおり決定する。
【結　論】
　特許第３３６１４９６号の請求項１ないし３に係る特許を取り消す。
【理　由】
１．手続の経緯
　本件特許第３３６１４９６号発明は、産電子工業株式会社より、平成１１年１２月２７日に特願平１１−３６９９８８号として特許出願がなされたものであって、平成１４年１０月１８日にその特許権の設定登録がなされ、その後、美恵英樹、中林猛季，面沢寿江及び津田政宏よりそれぞれ請求項１乃至３（全請求項）について特許異議の申立てがなされ、平成１５年１２月１日付で取消理由通知がなされ、その指定期間である平成１６年２月２６日に特許異議意見書が提出され、その後、平成１６年３月１１日に異議申立人の一人である面沢寿江より上申書が提出されたので、平成１６年７月７日付で該上申書を特許権者に送付すると共に、期間を指定して、該上申内容に対する回答書の提出を求めたものの、特許権者からは何ら応答がなかったものである。なお、訂正請求はなされていない。
　
２．本件明細書の請求項１に係る発明
　本件明細書の請求項１乃至３に係る発明（以下、「本件発明１乃至３」という。）は、その特許請求の範囲の請求項１乃至３に記載されたとおりの
　「【請求項１】　遊技機に並設され、紙幣の投入に応じて遊技媒体の貸出を行なうと共に、遊技媒体利用データの記憶媒体であるＩＣカードを精算用ＩＣカードとして発行する機能を有する台間遊技媒体貸出機と、該台間遊技媒体貸出機から発行されたＩＣカードを精算するためのＩＣカード精算装置と、を備えた遊技店舗におけるＩＣカードシステムであって、
前記ＩＣカード精算装置は、前記台間遊技媒体貸出機と別個に遊技店舗内の所定位置に設けられ、複数枚のＩＣカードを収容可能な収納部と、ＩＣカードの出し入れ可能な挿入口と、ＩＣカードに所定の遊技媒体利用データを書き込むと共にＩＣカードに書き込まれた遊技媒体利用データを読み出すリードライト部と、金銭収納部と、金銭払出口と、清算ボタンと、を備え、前記清算ボタンが押されることにより、前記挿入口から挿入されたＩＣカードに残存している遊技媒体利用データに応じた額の金銭を前記金銭収納部から前記金銭払出口を介して払い出し、前記リードライト部によって前記ＩＣカードを初期化した後に、前記収納部に回収することを特徴とする遊技店舗におけるＩＣカ−ドシステム。
　　【請求項２】　請求項１に記載の遊技店舗におけるＩＣカ−ドの清算システムにおいて、前記ＩＣカード精算装置は金銭表示器を備え、
前記挿入口から挿入されたＩＣカードに書き込まれた遊技媒体利用データを前記リードライト部によって読み出し、該遊技媒体利用データに相当する金額を前記金銭表示器に表示することを特徴とする遊技店舗におけるＩＣカ−ドシステム。
　　【請求項３】　請求項１または請求項２に記載の遊技店舗におけるＩＣカ−ドシステムにおいて、前記ＩＣカード精算装置はＩＣカードの清算を中止するための中止ボタンを備え、該中止ボタンが押されることにより、前記挿入口から挿入されたＩＣカードが前記挿入口から排出されることを特徴とする遊技店舗におけるＩＣカ−ドシステム。」にあるものと認める。
　
３．取消理由通知の内容
　当審が平成１５年１２月１日付けで通知した取消理由の概要は、
　下記の引用刊行物１乃至３を引用して、
引用刊行物１．特開平１０−５２５６６号公報
引用刊行物２．特開平９−１４０９２２号公報
引用刊行物３．特開昭６２−２５１８９５号公報
　本件発明１乃至３は、上記刊行物１に記載の発明に引用刊行物２又は３に記載発明を適用することによって当業者が容易に発明をすることができたものであるものと認められるので、本件発明１乃至３の特許は、特許法第２９条第２項の規定に違反してされたものである、というものである。
　
４．引用刊行物１乃至３に記載の発明
（１）引用刊行物１（特開平１０−５２５６６号公報，平成１０年２月２４日特許庁発行）は、高額紙幣対応のパチンコ遊技機等の玉貸し／コイン貸し管理装置に関するものであり、そこには、
　「【０００１】
【発明の属する技術分野】本発明は、パチンコ遊技機又は回胴式遊技機等の玉貸／コイン貸管理装置に関し、特に遊技客が高額紙幣を使用した場合の所定の遊技用の貸玉又は貸コインを払い出した後の残高金額の処理手段の改良に関する。」
　
　「【０００７】又、カード精算装置を備え、玉貸／コイン貸管理装置により発行された精算カードを上記カード精算装置に投入すると、精算カードに記録された残高分の金額を現金で払い出すようにすると、残金がありながら当日の遊技を完了する遊技客の精算処理を容易確実に実行できる。・・・・さらに、残高がゼロになった精算カードは返却せず、回収して再利用すると、カードの悪用が防止でき、経費節減ができる。」
　
　「【０００８】
【発明の実施の形態】以下、図示する実施の形態によって本発明を具体的に説明する。図１は遊技場に本発明に基づく玉貸／コイン貸管理装置を装着した本発明の基本的な配置構成例を示す正面図である。同図において、１、１′、１″・・・は夫々複数台の遊技機であって、図には、例として貸玉ノズル１１、１１′、１１″・・・を備えたパチンコを示している。２、２′、２″・・・は夫々対象遊技機に隣接し、相隣る遊技機の間にサンドイッチ状に挟み込んで装着した本発明を適用した遊技用の玉貸／コイン貸管理装置である。本図においては遊技機１、１′、１″・・・に対応してパチンコ用の玉貸管理装置２、２′、２″・・・として示している・・・・」
　
　「【０００９】実施の形態１：次に、パチンコの遊技機用の貸玉管理装置として本発明を適用した例を図２を参照して説明する。図２は、図３に示すようにパチスロの遊技機にも適用可能な貸玉／コイン貸管理装置２の正面図であるが、本実施の形態ではパチンコでの適用例であるので、以下の説明では、貸玉管理装置２として説明する。同図において、５は貸玉を求めるときの硬貨投入口。・・・・８は紙幣投入口であって、・・・・投入金額の総額は計算されて所定の記録機能に記録され、所定の表示パネルに表示される。硬貨又は紙幣の投入口に投入された硬貨又は／及び紙幣は、この遊技場の施設規模等に対応して、この管理装置内に設けたホッパに貯溜するか、夫々が搬送コンベアによって遊技場内の所定場所に設けた金庫に自動的に搬送されるように構成する。９は精算カード受付／発行口で、他の管理装置で発行した精算カードの投入も受付ける。１０は玉貸ボタンスイッチで、貨幣又は精算カードによって少なくとも次に記す１回分の金額が投入され、又は残金として存在する状態で、玉貸ボタンスイッチ１０を１回押すと、予め設定した単位金額、例えば、５００円分の貸玉が、払い出し機能（図示せず）の働きで貸玉ノズル１１からパチンコ台に排出される。・・・・」
　
　「【００１０】１２は利用状態表示パネルで、投入金額又は投入精算カードの記録金額、貸玉払い出し数、残金等、この遊技機に対応して予め設定した事項が表示される。即ち、図示のものでは、当初１０，０００円を投入し、一回分の貸玉５００円の場合で２回分の貸玉操作をし、１，０００円分貸玉を受け、貯留残高が９，０００円である場合を示している。なお、投入したのが、紙幣ではなくて７，０００円分の記録がされた精算カードであると、投入金額が７，０００円、玉払出数が３回、貯留残金として５，５００円が表示される。上記の利用データはこの玉貸管理装置２又は上位管理機能に設けた所定の記録機能（図示せず）に記録され、さらに、精算演算機能によって残金が算出されている。１３は精算カード発行用の精算ボタンスイッチで、上述したように９，０００円残されている状態で、精算カード発行用の精算ボタンスイッチ１３を押すと、精算カード発行機能の働きで、整理番号、発行日付、貯留金額９，０００円の金額が記録された精算カードが精算カード受付／発行口９から発行される。・・・・」
　
　「【００１２】実施の形態３：次に、上述した精算カードの一実施の形態を図４によって説明する。・・・・精算カードは、図４（Ａ）に予め印字されている図示の文書と矢印Ｃが、所定のホッパに予め蓄えられた生カードに、前記した精算ボタンスイッチ１３の操作によって以下述べる記録がなされて発行される。・・・・同図（Ｂ）に示すＢ部は玉貸／コイン貸管理装置又は後述するカード精算装置で処理可能に記録する、例えば磁気記録部であって、・・・・Ｂｃにはログとして最大９件までの精算経歴、Ｂｄにはこの精算カードの現在の残高が、夫々暗号化して磁気的に記録される。・・・・この精算カードは一例であって、記録機能として磁気記録ではなく、メモリ機能を備えたＩＣカードを使用しても良いし、記録内容もその店舗の遊技施設と管理条件に対応して適切に変化を持たせても良い。・・・・」
　
　「【００１３】実施の形態４：次に、その店舗での当日の遊技を終了し、本発明を適用した精算カードにより精算をする場合について、図５に示すカード精算装置により説明する。同図において、２０は精算装置、２１は精算装置２０の精算カード投入口、２２は精算カード精算表示パネルで、投入された精算カードに記録された残数、即ち、その店舗で支払った金額から貸玉又は貸コインを求めた金額を差し引いた釣銭に相当する貯留金額等を表示する。２３は精算貨幣払出口で、精算操作がなされた結果、図６（Ａ）〜（Ｃ）に示す各機能の動作によって精算貨幣が払い出される。精算表示板２２Ａには、その精算カードによる使用経歴や当店発行のものではない場合の注意表示等、その店舗と遊技機の条件等に対応して適切に表示するようにし、カード精算装置２０が適切に機能しない場合等のための店員呼び出しスイッチ等を設けても良い。又、玉貸／コイン貸管理装置のホストコンピュータを設けて精算カード関連データを記録している場合は、精算を求める精算カードの記録内容とホストコンピュータの記録内容とを自動的に照合して誤りの起こらないようにしても良いし、精算カードに整理番号のみを記録し、ホストコンピュータ等に金銭にからむデータを記録している場合は、その記録を用いて精算演算をするか、ホストコンピュータで精算演算を行って、支払い金額のみを受信するようにしても良い。又、カード精算装置２０内部には、精算用紙幣及び条件によっては硬貨のホッパ（図示せず）が設けられており、精算の完了した精算カードは排出せず内部に設けたホッパに保管、回収される。」
　
　「【００１４】実施の形態５：次に、本発明を小規模の店舗に適用した玉貸／コイン貸管理装置の回路構成例とその回路における操作手順を図６（Ａ）及び図７によって説明する。図１乃至図５で説明した要素機能と同等の要素機能は同一の符号を使用してその詳細説明を省略する。又、玉貸／コイン貸管理装置関連以外の、夫々の店舗に備えた管理機能やその実行内容等の説明も省略する。（後略）」
　
　「【００１５】総括管理機能４０Ａには前述した各玉貸／コイン貸払い出し機能、精算カード発行機能等の各作業に伴って発生するデータ類、例えば、投入金額、払い出し玉数、発行精算カードに関するデータ類を記憶する記憶機能４０Ａａが設けられていて、ソフト処理による精算演算機能も備えている。又、２４は精算カード弁別機能で、実施の形態４で説明した精算装置に備えられ、投入された精算カードの記録を読み取り、所定の弁別動作を行う。２５は払出機能で、精算操作がなされた結果、内部に設けた貨幣ホッパから精算貨幣を図５に示す精算貨幣払出口２３から払出すための動作を行うものである。２６Ａは精算カード精算処理機能で、精算カード弁別機能２４からのカード記録読み取り信号を入力し、暗号化された読み取りコード信号を判別して所定の払い出し信号を払出機能２５に出力する。」
　
　「【００１９】次に、上述の回路における操作手順を図８のほか、図５、図６（Ｂ）も参照して説明する。図８は図７におけるＳ８以降を変化させたものなので、図８では図７におけるステップＳ７までの手順の記載を省略している。遊技客がその遊技機の利用を中止して精算ボタンスイッチ１３を操作すると（Ｓ８）、貨幣投入による遊技客には投入金額と貸玉／貸コインの払出し数に関する記憶内容に基づいて精算カードを発行し、一方、精算カード投入による遊技客には精算カードの追加記録を行い、発行記録又は精算カードに関する新たな記録をホストコンピュータ４１の記憶機能４１ａに記録する（Ｓ９′）。遊技客が当日の遊技を終了してカード精算装置２０に精算カードを投入する（Ｓ１０′）と、カード精算装置２０は精算カードの記録内容を読み取ってホストコンピュータ４１に伝送し、その記憶機能４１ａからこの精算カードに対応するデータを読み出してこの精算カードが正常のものかどうかを判定し、正常であれば、支払い金額を演算して、精算カード精算処理機能２６Ａを経て払出機能２５の動作によって精算貨幣払出口２３から支払われる（Ｓ１１′）。・・・・上記の各過程で生カードのホッパやカード精算装置２０の返却用貨幣のホッパが空になると、ホストコンピュータ４１からの警報に基づき、作業者による追加作業を行う。この場合、生カードの代替として、精算処理後の精算カード又は残高０となって回収された精算カードを再利用することができる。（後略）」
　
　「【００２２】
【発明の効果】本発明に基づく玉貸／コイン貸管理装置は、上記のように高額紙幣により当初の遊技用の貸玉／貸コインを払い出した後の残高金額分を記録した精算カードを発行し、以降の遊技をこの精算カードに基づいて行い、遊技終了後の精算を、この精算カードにより行うことができるようにしたから、次のような優れた効果を有する。
（中略）
（１１）本装置により発行された精算カードは、本装置と同一型の玉貸／コイン貸管理装置が設置された同一店内の他の玉貸／コイン貸管理装置からの遊技用の貸玉又は貸コインの払い出しを可能とするようにすると、遊技客が別の遊技機を利用するのに便宜である。
（中略）
（１４）精算済みの精算カード及び残高がゼロになった精算カードは回収し、再利用すると、カードの悪用が防止できると共に経費節減となる。
（１５）本装置を相互に隣接するパチンコ遊技機の間隙に装着できる構造寸法に構成すると、遊技機械の配列に影響を与えないで本装置の配設が行える。・・・・」
と記載されている。
　
　すなわち、引用刊行物１には、
　Ａ−１．パチンコ遊技機等の玉貸し／コイン貸し管理装置において、
　Ａ−２．夫々対象遊技機に隣接し、相隣る遊技機の間に遊技用の玉貸／コイン貸し管理装置をサンドイッチ状に挟み込んで配置構成すること、
　Ａ−３．該玉貸し管理装置には、少なくとも紙幣投入口と精算カード投入口を備えるとともに精算カード発行機能を有しており、投入された現金又は精算カードによって貸し玉が排出され、残金か記録された精算カードが発行されること、
　Ａ−４．精算カードには、ログとしての精算経歴と現在の残高とか記録されていること、
　Ａ−５．精算カードはメモリ機能を備えたＩＣカードでもよいこと、
　Ａ−６．カード精算装置の内部には精算用紙幣及び硬貨のホッパと回収された精算カードを保管するホッパが設けられており、
　Ａ−７．最終的に精算をする場合、精算カードを該カード精算装置の精算カード投入口に挿入すると、精算カードに記録された内容を読みとって精算金額を求め、該精算金額を払い出すとともに、精算の完了した精算カードは排出せず内部に設けたホッパに保管、回収すること、
　Ａ−８．精算済みの精算カード及び残高が０となって回収された精算カードを再利用することによって、カードの悪用が防止できるともに経費節減となること、
が記載されている。
　
Ｂ．上記刊行物２（特開平９−１４０９２２号公報，平成９年６月３日特許庁発行）には、
　「【０００１】
【産業上の利用分野】この発明は、金額価値を有するプリペイドカードを発行するとともに、投入されたプリペイドカードを受け付けてその金額価値に応じた数の遊戯媒体を遊戯機に払い出す遊戯媒体貸出装置およびこの遊戯媒体貸出装置を用いてプリペイドカード管理システムに関連する。」
　
　「【００２１】
【実施例】図１は、この発明の一実施例にかかるプリペイドカード管理システムの構成を示す。このプリペイドカード管理システムは、特定の遊戯場内に配備された複数のメダル貸出装置１，発券装置２，精算処理装置３を、双方向型の通信回線Ｌ１により制御装置４に電気接続して成るもので、さらに制御装置４は、公衆回線などの通信回線Ｌ２を介してカード会社のセンター装置６に接続される。
【００２２】前記各メダル貸出装置１は、それぞれスロットマシン５に隣接して設けられており、各スロットマシン５とメダル貸出装置１との間は、コード線７により電気接続されている。各メダル貸出装置１は、プリペイドカードの発行機能を有するもので、紙幣の投入により、機体内部の収容部に収容された磁気カード（以下単に「カード」という）を搬出し、このカードにカード番号や金額価値などの情報を書き込んで機体前面のカード出入口２２まで搬出する。」
　
　「【００２８】さらに隣接するスロットマシン５でのメダル貸出スイッチ１１の押操作に応じて前記メダル貸出信号が入力されると、メダル貸出装置１の制御部では、前記差引き金額データを用いてカードに記憶されたカード情報および内部の金額情報の書換えを行う。この書換え処理が終了すると、制御部は、スロットマシン５の回路制御部１４に処理終了を示す制御信号を伝送する。制御回路部１４は、この制御信号を受けて機体を前記度数データ分のメダルが投入された状態に設定し、ゲームの開始に待機する。」
　
　「【００３１】なお、メダル貸出装置１には必ずしもスロットマシン５に電気接続するタイプのものを用いる必要はなく、プリペイドカードの投入に応じて実物のメダルを貸し出す構成の装置を用いても良い。
【００３２】精算処理装置３は、金額価値の残っているプリペイドカードを受け付けて精算処理を行うほか、プリペイドカードの金額価値の確認処理を行うためのもので、投入されたプリペイドカードからカード情報を読み取った後、カード発行元の装置に、そのカード情報や精算処理のための書換え情報などの送信を行う。」
　
　「【００３６】前記カード出入口２２は、前記紙幣受付口２０への紙幣の投入に応じてプリペイドカードの発行を行うとともに、この発行されたプリペイドカードまたは他のメダル貸出装置１または発券装置２で発行されたプリペイドカードを受け付ける部分であり、このカード出入口２２の内側には、プリペイドカードの搬出入を行うための搬送機構３１，３９，カードに対し発券情報の読み書きを行うための磁気ヘッド３２，金額価値がゼロの状態のカードを収容するためのカード収容部３８（いずれも図３〜７に示す）などを含むカード処理ユニット２７が設けられている。」
　
　「【００３９】図３〜図７は、前記カード処理ユニット２７の内部機構を示す。このカード処理ユニット２７の前面には、前記カード出入口２０に連続するカード搬出入口２９が形成されており、内部には奥行きに沿ってカードの幅と厚みとに応じた搬送路３０が形成されている。この搬送路３０の前方位置には第１のカード搬送機構３１が配備され、その後方には前記発券情報の読み書きを行うための磁気ヘッド３２が配備されている。」
　
　「【００５２】図１１（１）は前記精算処理装置３の前面を、図１１（２）はこの精算処理装置の後面を、それぞれ示すもので、機体前面には、情報表示部７１，紙幣返却口７２，硬貨返却口７３などが配備されている。後面は係員用であって、第２の情報表示部７４，操作パネル７５，カード受付口７６などが配備されている。
【００５３】前記情報表示部７１，７４は、ともに液晶表示板などの表示パネルであって、精算時には精算金額などの情報が、カードの発券情報のチェック時には、チェック対象のカードの発券情報に関する情報が、それぞれ表示される。なお前面の情報表示部７１は遊戯客用，後面の情報表示部７４は係員用であって、係員用の情報表示部７４にはより詳細な情報の表示が行われる。
【００５４】前記操作パネル７５には、精算処理や各種のチェック用の複数個の操作スイッチ７７が配備されており、係員が遊戯客から受け取ったプリペイドカードを前記カード受付口７６に挿入して該当する処理にかかる操作スイッチを押操作すると、このプリペイドカードの有するカード情報が読み取られ、さらに機体内部の制御部においてこのカードの発行元であるメダル貸出装置１または発券装置２に対する通信が行われてカード情報の確認が行われる。この結果、読み取った情報が発行元の記憶情報と合致しておれば、精算処理またはその読取り情報の表示が行われる。なお、カード受付口７６の内側には、前記メダル貸出装置１に用いたものと同様のカード処理ユニット２７が配備されている。
【００５５】図１２は、上記精算処理装置３の電気的構成を示すもので、ＣＰＵ７８，ＲＯＭ７９，ＲＡＭ８０から成る制御部８１に、バス８２を介して、第１，第２の各情報表示部７１，７４，操作パネル７５の各操作スイッチ７７，カード処理ユニット２７の光電センサＰＨ１〜ＰＨ５，カード搬送機構３１，３９，磁気ヘッド３２が接続されるほか、精算時に紙幣返却口７２に紙幣を払い出すための紙幣搬出機構８３，硬貨返却口７３に硬貨を払い出すための硬貨搬出機構８４，他の各装置との間で情報の送受信を行うための送受信部８５がそれぞれ接続されている。」
　
　「【０１３２】図３０および３１は、前記精算処理装置３の制御手順を示す。装置の初期設定の終了後、前記カード受付口７６にカードが挿入されてステップ１が「ＹＥＳ」となると、ＣＰＵ７８は、つぎのステップ２〜１３で前記図２７のステップ５−１〜ステップ５−１７と同様の処理を実行し、カード発行元の端末装置からの照合結果を得る。」
　
　「【０１３５】精算処理にかかる操作スイッチが押操作されている場合は、ステップ１４が「ＹＥＳ」となり、ＣＰＵ７８は、前記図２８のステップ５−２０〜ステップ５−３１と同様、カード発行元の端末装置にカードの書換え情報を送信するとともに、この装置からの応答文により前記書換え情報による登録情報の更新処理が完了したことを確認する（ステップ１８〜２９）。この確認がなされてステップ２９が「ＹＥＳ」となると、ＣＰＵ７８は、磁気ヘッド３２を用いてカードの金額価値を「０円」に書換えるとともに、前記紙幣搬出機構８３または硬貨搬出機構８４を作動させて精算金の払出しを行う（ステップ３０，３１）。」
　
　「【０１３９】上記の構成によれば、各メダル貸出装置１や精算処理装置３に投入されたカードの照合処理は、通常、各カードの発行元の端末装置で行われるので、制御装置４への送信の集中を回避できる。このため制御装置４に大規模なハードウエアを搭載したり、各装置間の通信速度を高速化するなどの必要がなくなり、システム全体のハードウエア構成を大幅に削減することができる。しかも各メダル貸出装置１において、金額価値がゼロとなったカードを回収して再利用するので、カード発行にかかるコストが大幅に削減でき、構成が簡易，安価，かつセキュリティの高いシステムを提供することができる。」
　
　「【０１４４】なお、この実施例のシステムは、スロットマシン５に隣接するメダル貸出装置１と、発券装置２と、精算処理装置３と、制御装置４とを通信回線Ｌ１により接続しているが、この構成にパチンコ遊戯機にパチンコ玉を貸し出すパチンコ玉貸出装置など他の遊戯媒体の貸出装置を加え、プリペイドカードにより複数種の遊戯媒体の貸出を可能になるように構成しても良い。」
　
　「【０１４７】請求項２の発明では、上記の遊戯媒体貸出装置に、書換え処理後の金額価値がゼロとなったプリペイドカードを回収する回収手段を設けたので、同じカードを何回も繰り返して使用することができ、カードにかかるコストを大幅に削減することができる。」
と記載されている。
　
　すなわち、引用刊行物２には、
　Ｂ−１．遊技場内に複数のメダル貸出装置、発券装置、精算処理装置を設け、それらを制御装置に接続したプリペイドカード管理システムにおいて、
　Ｂ−２．メダル貸出装置は、それぞれスロットマシンに隣接して設けられていること、
　Ｂ−３．各メダル貸出装置は、プリペイドカード発行機能を有し、紙幣の投入により、機体内部の収容部に収容された磁気カードを搬出し、金額価値等の情報を書き込んでから発行し、メダル貸出し操作によってメダルを貸出すと共にカード情報の書き換えを行うこと、
　Ｂ−４．精算処理装置は遊技場内に別体として配置されており、金額価値の残っているプリペイドカードを受け付けて精算処理等を行うものでること、
　Ｂ−５．精算処理装置の機体前面には、情報表示部、紙幣返却口、硬貨返却口などが配置され、後面には第２の情報表示部、操作パネル、カード受付口等が配置されていること、
　Ｂ−６．精算処理装置の情報表示部は、精算時には精算金額などの情報が、カードの発券情報のチェック時には、チェック対象のカードの発券情報が表示されること、
　Ｂ−７．精算処理装置には操作スイッチが設けられており、プリペイドカードの挿入後にその押操作によって、カード情報が読み取られ、精算処理が行われること、
　Ｂ−８．精算処理が行われると、磁気ヘッドを用いてカードの金額価値を「０円」に書き換え、清算金の支払を行うこと、
　Ｂ−９．金額価値が０となったカードは回収し、再利用するので、カード発行にかかるコストが削減できること、
が記載されている。
　
Ｃ．上記刊行物３（特開昭６２−２５１８９５号公報，昭和６２年１１月２日特許庁発行）には、
　「この発明はいわゆるあらかじめ現金で購入する前払いカードとして広く普及しているデビットカードを用いたキャッシュレスカードシステムにおいて、使用中のデビットカードの残量である残金を換金返却することができるデビットカードの自動清算システムに関する。」（第１頁右下欄第１２〜１７行目）
　
　「次に第４図に示す清算機３０は扉表面に各種の釦や表示装置が配置され利用者にとってさらに使用し易く工夫されたものである。詳述すると利用者はまず取扱いランプ３１の点灯を確認した後残金を清算しようとするデビットカード１１をカード挿入口１２ａに差込む。清算機３０に差込まれた該カード１１に異常がなければ残金表示器１３にその残金の表示を行ない払戻し釦３３およびカード返却釦３４の各ランプが点灯する。利用者が単に残金を確認するだけで清算を行なわないときにはカード返却釦３４を押せばカード１１はカード挿入口１２ａから返却されカード返却注意ランプ３５が点灯しカードの抜取りをうながす。また清算を希望するときには払戻し釦３３を押せばカード１１は清算機３０内に取込まれ同時にカードの残金と等しい金額だけ紙幣ならびに硬貨によってそれぞれの払出し口１５ａならびに１６ａから返金される。」（第２頁右下欄第１１行〜第３頁左上欄第８行目）
と記載されている。
　
　すなわち、引用刊行物３には、
　Ｃ−１．あらかじめ現金で購入する前払いカードであるデビットカードを用いたキャッシュレスカードシステムにおいて、
　Ｃ−２．カード残代金を清算する清算機には、カード挿入口，残金表示器，払戻し釦，カード返却釦が設けられていること、
　Ｃ−３．カードを清算機のカード挿入口に差込むと、該カードに異常がなければ残金表示器に残金の表示を行なうこと、
　Ｃ−４．そこでカード返却ボタンを押せば、清算は行なわれずにカードが返却されること、
　Ｃ−５．清算を希望するときには、払戻し釦を押せばカードは清算機内へ取込まれるとともにカード残金が払出し口から返金されること、
が記載されている。
　
５．対比・判断
Ａ．本件発明１
　そこで、本件発明１と上記引用刊行物１に記載の発明とを対比すると、引用刊行物１には、本件発明と同様な、パチンコ台等の遊技機と隣り合って遊技機の台間に設けられ、玉貸し及びカードの発行を行なう玉貸し管理装置と、それと別体に設けられているカード精算装置とからなる遊技用カードシステムに関する発明が記載されており、引用刊行物１における「貸し玉」，「玉貸し管理装置」，「精算カード」，「（精算カードの）ホッパ」，「精算カード投入口」，「（紙幣・硬貨の）ホッパ」は、それぞれ本件発明１における「遊技媒体」，「遊技媒体貸出機」，「清算用カード」，「カードを収容可能な収容部」，「カードの挿入口」，「金銭収納部」に相当し、又、引用刊行物１には、精算カードをＩＣカードとすることも記載されており、更に、引用刊行物１のカード精算装置は挿入された精算カードの記録内容を読み取って精算金額を求め、残金が払い出されるとカード残高が０となることも記載されているので、そこにはカードのリードライト部があることは明らかであるので、両者は共に、
　遊技機に並設され、紙幣の投入に応じて遊技媒体の貸出を行なうと共に、遊技媒体利用データの記憶媒体であるＩＣカードを精算用ＩＣカードとして発行する機能を有する台間遊技媒体貸出機と、該台間遊技媒体貸出機から発行されたＩＣカードを精算するためのＩＣカード精算装置と、を備えた遊技店舗におけるＩＣカードシステムであって、前記ＩＣカード精算装置は、前記台間遊技媒体貸出機と別個に遊技店舗内の所定位置に設けられ、複数枚のＩＣカードを収容可能な収納部と、ＩＣカードの出し入れ可能な挿入口と、ＩＣカードに所定の遊技媒体利用データを書き込むと共にＩＣカードに書き込まれた遊技媒体利用データを読み出すリードライト部と、金銭収納部と、金銭払出口と、を備え、前記挿入口から挿入されたＩＣカードに残存している遊技媒体利用データに応じた額の金銭を前記金銭収納部から前記金銭払出口を介して払い出し、前記収納部に回収することを特徴とする遊技店舗におけるＩＣカ−ドシステム、
である点では同じである。
　
　ただ、（ａ）本件発明１においては、カード精算装置は清算ボタンを備えており、該清算ボタンが押されることにより挿入口から挿入されたカードに残存している遊技媒体利用データに応じた額の金銭を払出しているのに対して、引用刊行物１に記載の発明においては、精算カードを挿入することによって、精算演算を行ない、投入された精算カードに記録された釣銭に相当する金額を払い出しており、又、（ｂ）本件発明１においては、金銭を払い出すと、リードライト部によってカードを初期化した後に、収納部に回収しているのに対して、引用刊行物１に記載の発明は、精算処理後の精算カードを回収する旨の記載しかない点で、両者は相違している。
　
　よって、上記相違点（ａ），（ｂ）について検討すると、
（ａ）については、引用刊行物２には精算処理に係る操作スイッチが押操作されている場合に精算金の払出しを行なう旨の記載があり、又、引用刊行物３には清算を希望するときには払戻し釦を押せば返金される旨の記載があるので、これらを引用刊行物１に記載の発明に適用すれば、本件発明１のように構成することができることは当業者が容易に想到することができたものと認められる。
　又、（ｂ）については、本件発明におけるＩＣカードの初期化というのは、本件明細書の発明の詳細な説明の欄の記載から見て、カードの残金記録を０にすることを意味しているものと認められるが、引用刊行物２には、精算処理が行なわれると、磁気ヘッドを用いてカードの金額価値を０円に書き換えるとともに、精算金の支払を行なう旨の記載があるので、本件発明１のようなＩＣカードを用いた場合においても、精算時にカードの初期化を行なうことは、引用刊行物２から当業者が容易に想到することができたものと認められる。
　
　したがって、本件発明１と引用刊行物１に記載の発明との相違点（ａ），（ｂ）はいずれも、引用刊行物１に記載の発明に引用刊行物２又は３に記載の発明を適用することによって当業者が容易に発明をすることができたものと認められる。
　
Ｂ．本件発明２
　本件発明２は、本件発明１において、ＩＣカード精算装置に金銭表示器を備え、ＩＣカードに書き込まれたデータを読み出し、そのデータに相当する金額を前記金銭表示器に表示するものであるが、そのような構成は、引用刊行物１の段落【００１３】の記載からも明らかなように公知である。
　
　したがって、本件発明２も、引用刊行物１に記載の発明に引用刊行物２又は３に記載の発明を適用することによって、当業者が容易に発明をすることができたものである。
　
Ｃ．本件発明３
　本件発明３は、本件発明１又は２において、ＩＣカード精算装置にＩＣカードの清算を中止するための中止ボタンを設け、該中止ボタンが押されることにより、清算が中止され、ＩＣカードが挿入口から排出させるように構成されたものであるが、そのような構成は、引用刊行物３に、カード返却ボタンを押せば、清算は行なわれずにカードが返却されることが記載されていることから明らかなように公知である。
　
　したがって、本件発明３も、引用刊行物１に記載の発明に引用刊行物２又は３に記載の発明を適用することによって、当業者が容易に発明をすることができたものである。
　
６．特許権者の主張について
（１）特許権者は、平成１６年２月６日付で特許異議意見書を提出し、その中で、概要、以下のように主張している。
　すなわち、「取消理由通知書によれば、本件発明におけるＩＣカードの初期化というのは、カードの残金記録を０にすることを意味しているものと認められる、とされていますが、本件発明におけるＩＣカードの初期化とは、カードの残金記録を０にすることを意味しているのではなく、「遊技媒体利用データが０に書き換えられると共に所定の管理データが消去される」ことを意味しています。
　その根拠については、本件明細書の発明の詳細な説明の【００２０】の欄の第１行から第３行に、「また、ＩＣカード１４には遊技媒体利用データの他、遊技店舗名、管理ナンバー、発行日、発行券種、発行番号、カード使用回数等の管理データが書き込まれる。そして、遊技媒体利用データ及び管理データが書き込まれたＩＣカードは、一旦は挿入口１２から排出されるように構成されている。」と記載されており、また、【００５２】の欄には、「該ＩＣカード精算装置は、挿入口１２に挿入されたＩＣカード１４に所定量の遊技媒体利用データが残存している場合は、遊技媒体利用データに対応する金銭収納部２５に収納された金銭を紙幣払出口２４から払い出せるように構成されている。この場合、ＩＣカード１４は初期化、即ち書き込まれた遊技媒体利用データを０に書き換えると共に所定の管理データを消去した後、ＩＣカード１４を収納部１１に回収できるように構成されている。」と記載されており、さらに、【００７８】の欄の第５行〜第８行にも、「ＩＣカード１４は前述同様リードライト装置１１Ａにて初期化、即ち遊技媒体利用データが０に書き換えられると共に所定の管理データが消去された後、収納部１１に収納される。」と記載されていることから明らかであります。
　本件発明によれば、ＩＣカードは遊技媒体利用データ及び管理データが書き込まれた状態で精算用ＩＣカードとして台間遊技媒体貸出機から発行され、そして、このＩＣカードはＩＣカード精算装置に挿入されることで遊技媒体利用データに応じた金銭が払い出され、初期化、即ち遊技媒体利用データが０に書き換えられると共に所定の管理データが消去された後に収納部に回収されるようにしたので、ＩＣカードに書き込まれた管理データを用いて遊技店舗におけるＩＣカードシステムのセキュリティの確保や各種データ管理が万全に行え、ＩＣカードの精算時には、遊技媒体利用データが０に書き換えられるとともに、この管理データも消去されて回収されるので、遊技店舗におけるカードシステムにＩＣカードを用いた場合にＩＣカードの再利用を図ることができるものであります。
　引用刊行物１〜３を精査しましたが、本件発明のかかる特徴は開示されておりません。以上の次第により、本件発明は、特許法第２９条第２項の規定により特許性を否定されるものではありません。」
と主張している。
　
７．特許異議申立人面沢寿江提出の上申書中での主張
　これに対して、特許異議申立人面沢寿江は、平成１６年３月１１日付で上申書を提出し、その中で、特許権者の上記主張に対して、概要、以下のように反論している。
　すなわち、「確かに、本件特許明細書の詳細な説明にはＩＣカードに「遊技店舗名、管理ナンバー、発行日、発行券種、発行番号、カード使用回数等の管理データが書き込まれる」との記載があります。」
　
　「しかし、本件特許発明の特許請求の範囲には、ＩＣカードに記録されていることが明記されているのは「遊技媒体利用データ」のみであり、「管理データ」が含まれるという特許権者の意見は、特許請求の範囲の記載に基づかない主張であり採用されるものではありません
　すなわち本件特許発明の特許請求の範囲には、
「【請求項１】遊技機に並設され、紙幣の投入に応じて遊技媒体の貸出を行なうと共に、遊技媒体利用データの記憶媒体であるＩＣカードを精算用ＩＣカードとして発行する機能を有する台間遊技媒体貸出機と、・・・・（中略）・・・を備えた遊技店舗におけるＩＣカードシステムであって、
・・・・（中略）・・・・ＩＣカードに所定の遊技媒体利用データを書き込むと共にＩＣカードに書き込まれた遊技媒体利用データを読み出すリードライト部と、・・・・（中略）・・・・前記挿入口から挿入されたＩＣカードに残存している遊技媒体利用データに応じた額の金銭を前記金銭収納部から前記金銭払出口を介して払い出し、前記リードライト部によって前記ＩＣカードを初期化した後に、前記収納部に回収することを特徴とする遊技店舗におけるＩＣカードシステム。
【請求項２】請求項１に記載の遊技店舗におけるＩＣカードの清算システムにおいて、・・・（中略）・・ＩＣカードに書き込まれた遊技媒体利用データを前記リードライ卜部によって読み出し、該遊技媒体利用データに相当する金額を前記金銭表示器に表示することを特徴とする遊技店舗におけるＩＣカードシステム。
【請求項３】（省略）。」
との記載がなされており、ＩＣカードに記録されているのは、「遊技媒体利用データ」のみです。
　したがって、ＩＣカードの初期化とは、カードの残金記録を０にするだけでなく管理データの消去も含む、との特許権者の主張は失当であります。」
　
　「仮に、上記特許権者の意見書における主張が認められるとしても、カードに遊技媒体利用データ以外の管理データが記録されることは、取消理由通知に引用された刊行物１においても開示されております。」
　
　「また、遊技媒体利用データ以外に管理データが記録されたカードを再利用するために、残額以外の管理データも消去することは周知技術であり、例えば、本上申書に添付した資料１（特開平５−１３７８４２号公報）、資料２（特開平７−２３６７６４号公報）、資料３（特開平３−１２１０８７号公報）に開示されております。」
　
　「資料１には、磁気データ記憶部に「遊技媒体利用データ」に相当する「景品として獲得した球数」と、「管理データ」に相当する「発行年月日」、「遊技店のコード」、「カードコード」、「セキュリティデータ」等が記憶されることが開示されています。また、現金払出機による換金が終了したカードは、消去ヘッドにより磁気データ記憶部に記憶したデータが消去され、初期化されてカード収納タンクに収納され、初期化された景品カードを再利用する構成が開示されております。」
　
　「資料２には、磁気カードに「遊技媒体利用データ」に相当する「残金額または持玉数」と、「管理データ」に相当する「日付等のデータ」が記憶されることが開示されています。また、交換機において景品の払出が完了するとカードのデータが消去されて回収される構成が開示されております。」
　
　「資料３には、磁気カードに「遊技媒体利用データ」に相当する「獲得玉数情報Ｎ１」と、「管理データ」に相当する「セキュリティ用の暗号コードＣＸ」、「日付コードＣＤ」が記憶されることが開示されています。また、精算装置においてリセットスイッチが操作されると磁気カードの記憶内容が全て初期化されて回収され、初期化された磁気カードが再利用される構成が開示されております。」
　
　「以上のように、「遊技媒体利用データ」以外に「管理データ」が記録されたカードを再利用するために、残額などの「遊技媒体利用データ」以外の「管理データ」も初期化することは、本件発明の出願時において周知技術であり、当業者が容易に想到できたものといえます。」
　
８．特許権者の該主張に対する当審の判断
　本件特許の請求項１には、「遊技媒体利用データの記憶媒体であるＩＣカード」，「所定の遊技媒体利用データを書き込むと共にＩＣカードに書き込まれた遊技媒体利用データを読み出すリードライト部」，「ＩＣカードに残存している遊技媒体利用データに応じた額の金銭を前記金銭収納部から前記金銭払い出口を介して払い出し、前記リードライト部によって 前記ＩＣカードを初期化した後に、前記収納部に回収する」と記載され、又、請求項２には、「前記挿入口から挿入されたＩＣカードに書き込まれた遊技媒体利用データを前記リードライト部によって読み出し、該遊技媒体利用データに相当する金銭を前記金銭表示器に表示する」と、記載されているのみであるので、これらの記載によると、本件発明１乃至３のＩＣカードに記録されているデータとして明記されているのは、「遊技媒体利用データ」のみであって、ＩＣカードに書き込まれているデータに「管理データ」も含まれ、ＩＣカードの回収時に「管理データ」も消去することは、本件発明１乃至３に含まれる事項とは認められない。したがって、特許権者の特許異議意見書中での主張には根拠がなく、採用することはできない。
　
　又、更に言うならば、本件発明１乃至３にいう「遊技媒体利用データ」の概念の中に「管理データ」も含まれるとしても、特許異議申立人面沢寿江が主張するように、例えば、特開平５−１３７８４２号公報（特許異議申立人津田政宏が提出した甲第７号証）には、
　「【０００１】
【産業上の利用分野】この発明は、遊技者が景品として獲得した遊技媒体の数をカードに記録し、該カードを利用することによりカードに記憶された遊技媒体数の範囲内で換金が可能な遊技媒体交換システムに関する。
【０００２】
【従来の技術】従来、パチンコ遊技店等における遊技の結果、遊技者が景品として獲得した遊技媒体は、当該遊技店において景品と交換される。」
　
　「【００１６】カード発行機４により発行する景品カード３を図４に示す。この景品カード３は、図４（ａ）に示すように、紙、合成樹脂等からなる薄い板状であり、表面には長手方向の上部に磁気データ記憶部４６を設け、磁気データ記憶部４６の下方に印字領域部４７を設け、磁気データ記憶部４６と印字領域部４７との間に、セキュリティデータを記憶するセキュリティ記憶部４８を設けてある。
【００１７】上記したセキュリティ記憶部４８には、光学的または磁気的に判読可能な状態でセキュリティデータが記憶されている。このセキュリティデータは、景品カード３を製造する時に記憶される。印字領域部４７には、上記した磁気データ記憶部４６に記憶した店コードやカードコード等を印字する。また、景品カード３の表面には、矢印を表示して挿入方向を示して景品カード３の挿入方向を分り易くしたり、挿入方向の錯誤を防止するため、景品カード３の先端の一方の角を予め斜めに切断しておいてもよい。
【００１８】磁気データ記憶部４６には、図４（ｂ）で示すように、景品として獲得した球数、景品カード３の発行年月日、景品カード３を発行した遊技店のコード、各景品カード３毎に設定されるカードコード、景品カード３の偽造を防止するためのセキュリティデータ等が磁気的に記憶されている。」
　
　「【００３４】現金払出機７３による現金の払い出しを以下に説明する。景品球数等のデータが記憶された景品カード３をカード挿入口８０から挿入すると、景品カード３の先端がカードリードライタ８４の挿入検出センサ９０により検出されて、カード搬送路８６上を搬送され、セキュリティ読取りセンサ９１によりセキュリティ記憶部４８に記憶されたセキュリティデータが読み取られ、リードヘッド９２により磁気データ記憶部４６に記憶されたデータが読み取られる。そして、正規な景品カード３であると判断されると、読み取った景品球数が読み取り球数表示器７９に表示されるとともに、景品球数に相当する金額が金額表示器７８に表示され、金額表示器７８に表示された現金が、紙幣払出機１０３または硬貨払出機１０４から払い出される。現金が払い出されると、現金受取表示器７７が点灯して、現金が払い出されたことを表示し、注意を促す。また、不正なカードであると判断された場合には、警報表示器８２により警報を発するとともに、メッセージ表示器８３によりその旨の表示を行い、景品カード３は没収される。換金が終了した景品カード３は、さらにカード搬送路８６上を奥へと搬送され、消去ヘッド９７により磁気データ記憶部４６に記憶したデータが消去され、初期化された景品カード３はカード収納タンク８５に収納される。初期化された景品カード３は、再利用することができる。」
と記載されていることから明らかなように、
　
　そこには、パチンコ遊技店等における、カードを用いた遊技媒体交換システムにおいて、カードの磁気データ記憶部には、景品として獲得した球数、景品カード３の発行年月日、景品カード３を発行した遊技店のコード、各景品カード３毎に設定されるカードコード、景品カード３の偽造を防止するためのセキュリティデータ等が磁気的に記憶されており、該カードを利用して現金に換金する場合には、換金が終了すると、換金が終了した景品カード３は、さらにカード搬送路８６上を奥へと搬送され、消去ヘッド９７により磁気データ記憶部４６に記憶したデータが消去され、初期化された景品カード３はカード収納タンク８５に収納され、初期化された景品カード３は、再利用することができることが記載されており、
　
　又、同じく、特開平７−２３６７６４号公報（特許異議申立人面沢寿江が提出した甲第４号証）には、
　「【０００１】
【産業上の利用分野】本発明は、パチンコ遊技場において遊技玉の貸出しと遊技玉の持玉計数を含む精算処理とを行なう遊技玉貸出し精算装置に関し、特に現金またはカード状記録媒体の投入を受けて遊技玉を貸出した後、遊技者の精算指令を受けて残金額および遊技玉の持玉数を記録したカード状記録媒体を払出す貸機を備えて成る遊技玉貸出し精算装置に関する。」
　
　「【００３５】リードライタ５０は、例えば、カード状記録媒体である磁気カードの書き込みおよび読み出しを行う装置である。
【００３６】リードライタ５０は、カード出入口１８から投入された磁気カードのデータを読取り、適宜制御手段６０とデータまたは信号のやり取りをして動作し、精算時には残金額または持玉数、日付等のデータを投入された磁気カードに新たに書き込んで払出すものである。なお、このリードライタ５０は、内部に無記録状態の磁気カードを蓄えておくための貯留部と該貯留部からの払出をおこなうための払出機構とを有ている。磁気カードが投入されずに現金だけで遊技が開始された場合には、この貯留部の磁気カードに残金額や持玉数等のデータを書き込んで払出す機能をも有する。また、データの記録形態としては、磁気データとしての登録の他に、カード表面に数字または文字で印刷する方式や、バーコードで印刷する方式を併用しても良い。
【００３７】また、リードライタ５０としては、カード状記録媒体として磁気カードを扱うものに限らず、例えば、温度変化により表面に文字等を表わしたり消したりすることができるリサイクル記録手段を備えたリサイクルカード（特願平３−２６０８７９号）をカード状記録媒体として使用するものでもよい。また、カード状記録媒体としてＩＣカードを用いることが可能である。ＩＣカードは、半導体集積回路を用いた書き込みおよび読み出し可能なカード状の記憶デバイスである。磁気カード等に比べて、記憶容量が非常に大きく、また各種の電子的な秘密保護が施されており、顧客管理、売り上げ管理等をこの１枚で兼用して管理することが可能である。さらに、リサイクル記録手段を設けた該ＩＣカードを用いることが可能である。該リサイクル記録手段を設けることによって、該ＩＣカードのもつデータ管理機能に加えて、該リサイクル記録手段のもつデータの顕示機能を有するカード状記録媒体を実現できる。該データ管理機能により、１日だけではなく長期間にわたる顧客管理、売り上げ管理等をこの１枚で一括管理できる。」
　
　「【００７２】そして、遊技終了後には、やはり遊技機１の前に座ったままで精算スイッチ１５を操作すれば、記憶手段７０に登録されたその時点での残金額と持玉数が登録されたカード状記録媒体が払出されるから、これを景品交換カウンタ等に持ってゆくだけで、精算処理および景品交換が可能となる。
【００７３】すなわち、交換機１１０にカードが挿入されると、カードに登録されたバーコード等のデータが読取られ、まず不良カードでないことが判断されたうえで、残金額、持玉数等のデータが客側と店員側の両方に表示され、残金額に対応する釣銭が１０００円札で払出される。そして、客の希望する景品に応じて店員がその分の玉数を入力して持玉数から減算されるといった処理で、景品交換が行なわれる。この景品交換は客がスイッチを操作し景品を指定することで自動的に行なわれてもよい。景品の払出しが全て完了した時点で、交換機１１０の表示は０になり、カードは機内に取込まれるデータを消去されて回収される。」
と記載されている。
　
　すなわち、そこには、パチンコ遊技場において、カード状記録媒体を用いた遊技玉貸出し精算装置において、カードには、残金額又は持玉数、日付等のデータを書き込むこと及び景品の払出しが全て完了し、残金額が０となったときには、カードはデータを消去されて回収されることが記載されており、又、段落【００３６】の記載から見て、該データには、残金額又は持玉数のほかに日付等の管理データが含まれていることは明らかであり、カードの回収時には、管理データも消去された状態で回収されることが記載されているものと認められる。
　
　又、同じく、特開平３−１２１０８７号公報には、
　「計数装置１は、上記表示と同時に、遊技客の獲得パチンコ玉数を示す獲得玉数情報Ｎ１並びにセキュリティ用の暗号コードＣＸ及び日付コードＣＤを記憶してなる磁気カード５を発行するものであり、この磁気カード５の発行時には当該磁気カード５の表面に当日の日付並びに獲得玉数情報Ｎ１などを黒色にて印字するものである。」（第５ページ右上欄第１６行〜同頁左下欄第３行目）
　
　「また、精算装置１６は、リセットスイッチ１６ｂがオン操作されたときに挿入状態にある磁気カード５を回収するものであり、その回収時には、磁気カード５の記憶内容を全て初期化すると共に、その表面に印字された獲得玉数情報Ｎ１及び獲得メタル数情報Ｎ２を塗り潰すものである。このとき、磁気カード５は、複数の数値情報印字エリア５ａ〜５ｍを備えているから、その磁気カード５をそのまま再利用することが可能となり、ランニングコストを抑制できるようになる。」（第６ページ右下欄第１９行〜第７ページ左上欄第８行目）
と記載されているので、
　
　そこには、パチンコカードに、獲得玉数等の情報のほかにセキュリティ用の暗号コードや日付コードを記憶させ、カード精算後は、それらの記憶内容を全て初期化することが記載されているものと認められる。
　
　したがって、これらの事項を参酌すると、カードを回収するときに、管理データも含めて、全てのデータを消去してカードを初期化して回収することは、当業者に周知の事項であるものと認められるので、この点からも、特許権者の上記主張には根拠がなく、採用することはできない。
　
９．むすび
　以上のとおりであって、本件発明１乃至３は、引用刊行物１に記載の発明に引用刊行物２又は３に記載の発明を適用することによって、当業者が容易に発明をすることができたものであるものと認められるので、特許法第２９条第２項の規定により特許を受けることができないものである。
　
１０．まとめ
　したがって、本件発明１乃至３についての特許は、特許法第２９条第２項の規定に違反してされたものであり、取り消されるべきものである。
　
　よって、上記結論のとおり決定する。
【異議決定日】
平成１６年１１月１１日（２００４．１１．１１）